(57)【特許請求の範囲】
【請求項１】
ＳＯＮＥＴ／ＳＤＨ網に配置され、パケット網と接続されるＳＯＮＥＴ／ＳＤＨ装置であって、
前記ＳＯＮＥＴ／ＳＤＨ網に接続されるＳＯＮＥＴ／ＳＤＨインタフェース部と、
前記ＳＯＮＥＴ／ＳＤＨインタフェース部に接続されたＳＯＮＥＴ／ＳＤＨスイッチ部と、
前記ＳＯＮＥＴ／ＳＤＨスイッチ部に接続された第１及び第２のＬＡＮインタフェース部とを備え、
前記第１のＬＡＮインタフェース部は、
前記ＳＯＮＥＴ／ＳＤＨスイッチ部から入力される、パケットがマッピングされた信号に対するデマッピングを行い、該信号からパケットを得るデマッピング部と、
前記デマッピング部で得られたパケットを第１及び第２の経路に振り分ける振り分け部と、
前記パケット網との間でパケットを送受信するための送受信部であって、前記第１の経路を通って到着するパケットを前記パケット網に送信する第１の送受信ポートを含む送受信部と、
前記第１の送受信ポートで受信された前記パケット網からのパケット，及び前記第２の経路に振り分けられたパケットの夫々を、前記信号にマッピングして前記ＳＯＮＥＴ／ＳＤＨスイッチ部に送出するマッピング部とを含み、
前記第２のＬＡＮインタフェース部は、
前記ＳＯＮＥＴ／ＳＤＨスイッチから入力される、前記パケット網からのパケットがマッピングされた前記信号，及び前記第２の経路に振り分けられたパケットがマッピングされた前記信号に対するデマッピングを行い、前記第２の経路に振り分けられたパケットを第３の経路に送出し、前記パケット網からのパケットを第４の経路に送出するデマッピング部と、
前記パケット網との間でパケットを送受信するための送受信部であって、前記第３の経路を通って到着するパケットを前記パケット網に送信する第２の送受信ポートを含む送受信部と、
前記第２の送受信ポートで受信された前記パケット網からのパケットと、前記第４の経路に送出されたパケットとを集約する集約部と、
前記集約部で集約されたパケットを前記信号にマッピングして前記ＳＯＮＥＴ／ＳＤＨスイッチ部に送出するマッピング部とを含み、
前記ＳＯＮＥＴ／ＳＤＨスイッチ部は、前記第１及び第２のＬＡＮインタフェース部の双方に障害が発生していない場合には、前記ＳＯＮＥＴ／ＳＤＨインタフェース部で受信される前記ＳＯＮＥＴ／ＳＤＨ網からの前記信号を前記第１のＬＡＮインタフェース部のデマッピング部に転送し、前記第１のＬＡＮインタフェース部のマッピング部から入力される、前記パケット網からのパケットがマッピングされた前記信号，及び前記第２の経路に振り分けられたパケットがマッピングされた前記信号の双方を前記第２のＬＡＮインタフェース部のデマッピング部に転送し、前記第２のＬＡＮインタフェース部のマッピング部から入力される前記信号を前記ＳＯＮＥＴ／ＳＤＨインタフェース部に転送する
ＳＯＮＥＴ／ＳＤＨ装置。
【請求項２】
前記振り分け部は、前記第１のＬＡＮインタフェース部のリンク障害が検出された場合に、前記第１の経路に対する振り分けを停止して前記第２の経路のみにパケットを送出する
請求項１に記載のＳＯＮＥＴ／ＳＤＨ装置。
【請求項３】
前記振り分け部は、前記第１の第２のＬＡＮインタフェース部のリンク障害が検出された場合に、前記第２の経路に対する振り分けを停止して前記第１の経路のみにパケットを
送出する
請求項１に記載のＳＯＮＥＴ／ＳＤＨ装置。
【請求項４】
前記ＳＯＮＥＴ／ＳＤＨスイッチ部は、前記第１のＬＡＮインタフェース部の装置障害が検出された場合に、前記ＳＯＮＥＴ／ＳＤＨインタフェース部から入力される前記信号を、前記第１のＬＡＮインタフェース部の前記デマッピング部に入力することなく、前記第２のＬＡＮインタフェース部の前記デマッピング部に入力する
請求項１に記載のＳＯＮＥＴ／ＳＤＨ装置。
【請求項５】
前記第２のＬＡＮインタフェース部の装置障害が検出された場合に、前記ＳＯＮＥＴ／ＳＤＨスイッチは、前記第１のＬＡＮインタフェース部のマッピング部から入力される前記信号を、前記第２のＬＡＮインタフェース部に入力することなく前記ＳＯＮＥＴ／ＳＤＨインタフェース部に入力し、前記第１のＬＡＮインタフェース部の前記振り分け部は、前記第２の経路に対するパケットの振り分けを停止して前記第１の経路のみにパケットを送出する
請求項１に記載のＳＯＮＥＴ／ＳＤＨ装置。
【請求項６】
ＳＯＮＥＴ／ＳＤＨ網に配置され、パケット網と接続されるＳＯＮＥＴ／ＳＤＨ装置であって、
前記ＳＯＮＥＴ／ＳＤＨ網に接続されるＳＯＮＥＴ／ＳＤＨインタフェース部と、
前記ＳＯＮＥＴ／ＳＤＨインタフェース部に接続されたＳＯＮＥＴ／ＳＤＨスイッチ部と、
前記ＳＯＮＥＴ／ＳＤＨスイッチ部に接続された第１及び第２のＬＡＮインタフェース部とを備え、
前記第１のＬＡＮインタフェース部は、
前記ＳＯＮＥＴ／ＳＤＨスイッチから入力される、パケットがマッピングされた信号に対するデマッピングを行い、該信号からパケットを得るデマッピング部と、
前記デマッピング部で得られたパケットを２方向に振り分ける第１の振り分け部と、
前記第１の振り分け部で前記２方向の一方に振り分けられたパケットを第１及び第２の経路に振り分ける第２の振り分け部と、
前記第１の振り分け部で前記２方向の他方に振り分けられたパケットを第３及び第４の経路に振り分ける第３の振り分け部と、
前記パケット網との間でパケットを送受信するための二つの送受信ポートであって、前記第１の経路を通じて受信されるパケットを前記パケット網に送出する第１の送受信ポートと、前記第３の経路を通じて受信されるパケットを前記パケット網に送出する第２の送受信ポートとを含む送受信部と、
前記第１及び第２の送受信ポートで前記パケット網から受信されたパケットを集約する第１の集約部と、
前記第２及び第４の経路に振り分けられたパケットを集約する第２の集約部と、
前記第１の集約部で集約されたパケット，及び前記第２の集約部で集約されたパケットの夫々を前記信号にマッピングして前記ＳＯＮＥＴ／ＳＤＨスイッチに送出するマッピング部とを含み、
前記第２のＬＡＮインタフェース部は、
前記ＳＯＮＥＴ／ＳＤＨスイッチから入力される、前記第１の集約部で集約されたパケットがマッピングされた信号，及び前記第２の集約部で集約されたパケットがマッピングされた信号に対するデマッピングを行い、各信号からパケットを得るデマッピング部と、
前記デマッピング部で得られた、前記第１の集約部で集約されたパケットを第５及び第６の経路に振り分ける第４の振り分け部と、
前記デマッピング部で得られた、前記第２の集約部で集約されたパケットを第７及び第８の経路に振り分ける第５の振り分け部と、
前記パケット網との間でパケットを送受信するための二つの送受信ポートであって、前記第５の経路を通じて受信されるパケットを前記パケット網に送出する第３の送受信ポートと、前記第７の経路を通じて受信されるパケットを前記パケット網に送出する第４の送受信ポートとを含む送受信部と、
前記第３及び第４の送受信ポートで前記パケット網から受信されたパケットを集約する第３の集約部と、
前記第６及び第８の経路に振り分けられたパケットを集約する第４の集約部と、
前記第３の集約部で集約されたパケットと、前記第４の集約部で集約されたパケットとを集約する第５の集約部と、
前記第５の集約部で集約されたパケットを、前記信号にマッピングして前記ＳＯＮＥＴ／ＳＤＨスイッチに送出するマッピング部とを含み、
前記ＳＯＮＥＴ／ＳＤＨスイッチは、前記第１及び第２のＬＡＮインタフェース部の双方に障害が発生していない場合には、前記ＳＯＮＥＴ／ＳＤＨインタフェース部で受信される前記ＳＯＮＥＴ／ＳＤＨ網からの前記信号を前記第１のＬＡＮインタフェース部のデマッピング部に転送し、前記第１のＬＡＮインタフェース部のマッピング部から入力される、前記第１の集約部で集約されたパケットがマッピングされた前記信号，及び前記第２の集約部で集約されたパケットがマッピングされた前記信号の双方を前記第２のＬＡＮインタフェース部のデマッピング部に転送し、前記第２のＬＡＮインタフェース部のマッピング部から入力される前記信号を前記ＳＯＮＥＴ／ＳＤＨインタフェース部に転送する
ＳＯＮＥＴ／ＳＤＨ装置。
【請求項７】
ＳＯＮＥＴ／ＳＤＨ網に配置され、パケット網と接続されるＳＯＮＥＴ／ＳＤＨ装置であって、
前記ＳＯＮＥＴ／ＳＤＨ網との間で、パケットがマッピングされた信号を送受信するＳＯＮＥＴ／ＳＤＨインタフェース部と、
前記パケット網との間でパケットを送受信するための送受信部，パケットを前記信号にマッピングするマッピング部，及び前記信号に対するデマッピングを通じて該信号からパケットを得るデマッピング部を夫々含む第１及び第２のＬＡＮインタフェース部と、
前記ＳＯＮＥＴ／ＳＤＨインタフェース部，並びに前記第１及び第２のＬＡＮインタフェース部との間で、前記信号の転送処理を行うスイッチ部とを含み、
前記スイッチ部は、前記ＳＯＮＥＴ／ＳＤＨインタフェースから入力された前記信号を前記第１のＬＡＮインタフェース部に転送し、
前記第１のＬＡＮインタフェース部は、前記スイッチ部からの信号のデマッピングを通じてパケットを取得し、パケットの一部を送受信部から前記パケット網に送信するともに、残りを前記信号にマッピングして前記スイッチ部に送出し、
前記スイッチ部は、前記第１のＬＡＮインタフェース部からの前記信号を前記第２のＬＡＮインタフェース部に転送し、
前記第２のＬＡＮインタフェース部は、前記スイッチ部からの前記信号のデマッピングを通じて得られたパケットを前記送受信部から前記パケット網に送信する
ＳＯＮＥＴ／ＳＤＨ装置。
【発明の詳細な説明】
【技術分野】
【０００１】
本発明は、ＳＯＮＥＴ／ＳＤＨ(Synchronous Optical Network/Synchronous Digital Hierarchy)装置に関し、例えば、ＳＯＮＥＴ  ＥＯＳ（Ethernet （登録商標）over SONET）終端装置およびその周辺装置に関する。
【背景技術】
【０００２】
Ethernet（登録商標）網とＳＯＮＥＴ／ＳＤＨ網とを結合した複合ネットワークを構築するための技術としてＥｏＳ技術がある。また、ＳＯＮＥＴ／ＳＤＨ網を構成する伝送装置(ＳＯＮＥＴ／ＳＤＨ装置)には、リンク障害や装置障害時にパスを切り替えて通信を保護するＳＯＮＥＴパスプロテクション(SONET Path Protection)技術が適用されている。近年では、ＳＯＮＥＴ／ＳＤＨ網に接続されるEthernet（登録商標）回線側のProtection（冗長）機能の搭載が要求されている。
【０００３】
図１は、Ethernet（登録商標）網に(以下、パケット網と称する)適用されるパケットスイッチ装置の構成例を示す図である。パケットスイッチ(Packet SW)装置は、複数のEthernet（登録商標）回線(以下、Ｅ−回線)を収容する複数のインタフェースカードがパケットスイッチに接続されてなる。インタフェースカードとパケットスイッチとの間は、ＳＰＩ(System Packet Interface)等のパケットインタフェースで接続される。パケットスイッチは、パケット単位でスイッチング動作を行う。
【０００４】
図２は、ＳＯＮＥＴ／ＳＤＨ装置(以下、ＳＯＮＥＴ装置と称する)の構成例を示す図である。図２に示すように、ＳＯＮＥＴ装置は、複数の回線を収容する複数のインタフェースカードがＳＯＮＥＴスイッチに接続されてなる。但し、ＳＯＮＥＴ装置では、インタフェースカードとＳＯＮＥＴスイッチとの間がＳＯＮＥＴインタフェース (例えば、STS12 format)で接続され、ＳＯＮＥＴスイッチでは、タイムスロット単位のスイッチング動作を行う。
【０００５】
ここに、パケット網の冗長構成(Ethernet (登録商標) Protection)を実現するためには、パケット単位での集約および振り分けを行う必要がある。このため、ＳＯＮＥＴ装置においてインタフェースカード間を跨いだプロテクション機能(冗長構成)を実現するには、ＳＯＮＥＴスイッチがパケット単位で処理を行うことが要求される。しかしながら、タイムスロット単位でのスイッチング動作を行うＳＯＮＥＴスイッチがパケット単位のスイッチングを行うことはできない。
【０００６】
従って、既存のＳＯＮＥＴ装置において、インタフェースカード間をまたいだプロテクション機能の実現は困難であった。ここで、ＳＯＮＥＴスイッチにパケットスイッチ機能を搭載することで、上記のプロテクション機能を実現することが考えられる。しかしながら、既存のＳＯＮＥＴスイッチ(スイッチカードとして構成された既存のハードウェア)に対し、パケットスイッチを搭載するような機能追加は、コストの増大やＳＯＮＥＴ装置の消費電力増大を引き起こすおそれがあった。
【０００７】
なお、本発明と関連する先行技術として、以下の文献に記載された技術がある。
【特許文献１】特開２００３−１３４０７４号公報
【特許文献２】特開２００３−１１０５８５号公報
【特許文献３】特開２００３−１８１９６号公報
【特許文献４】特開２００２−２６９５６号公報
【特許文献５】特開２０００−１５１６７４号公報
【発明の開示】
【発明が解決しようとする課題】
【０００８】
本発明は、上述した問題に鑑みてなされたものであり、既存のＳＯＮＥＴ／ＳＤＨスイッチの機能変更を行うことなく、ＬＡＮインタフェースカード間を跨いだプロテクション機能を提供可能なＳＯＮＥＴ／ＳＤＨ装置を提供することを目的とする。
【課題を解決するための手段】
【０００９】
本発明は、上述した目的を達成するために、以下の構成を採用する。すなわち、本発明の第１の態様は、ＳＯＮＥＴ／ＳＤＨ網に配置され、パケット網と接続されるＳＯＮＥＴ／ＳＤＨ装置であって、
前記ＳＯＮＥＴ／ＳＤＨ網に接続されるＳＯＮＥＴ／ＳＤＨインタフェース部と、
前記ＳＯＮＥＴ／ＳＤＨインタフェース部に接続されたＳＯＮＥＴ／ＳＤＨスイッチ部と、
前記ＳＯＮＥＴ／ＳＤＨスイッチ部に接続された第１及び第２のＬＡＮインタフェース部とを備え、
前記第１のＬＡＮインタフェース部は、
前記ＳＯＮＥＴ／ＳＤＨスイッチ部から入力される、パケットがマッピングされた信号に対するデマッピングを行い、該信号からパケットを得るデマッピング部と、
前記デマッピング部で得られたパケットを第１及び第２の経路に振り分ける振り分け部と、
前記パケット網との間でパケットを送受信するための送受信部であって、前記第１の経路を通って到着するパケットを前記パケット網に送信する第１の送受信ポートを含む送受信部と、
前記第１の送受信ポートで受信された前記パケット網からのパケット，及び前記第２の経路に振り分けられたパケットの夫々を、前記信号にマッピングして前記ＳＯＮＥＴ／ＳＤＨスイッチ部に送出するマッピング部とを含み、
前記第２のＬＡＮインタフェース部は、
前記ＳＯＮＥＴ／ＳＤＨスイッチから入力される、前記パケット網からのパケットがマッピングされた前記信号，及び前記第２の経路に振り分けられたパケットがマッピングされた前記信号に対するデマッピングを行い、前記第２の経路に振り分けられたパケットを第３の経路に送出し、前記パケット網からのパケットを第４の経路に送出するデマッピング部と、
前記パケット網との間でパケットを送受信するための送受信部であって、前記第３の経路を通って到着するパケットを前記パケット網に送信する第２の送受信ポートを含む送受信部と、
前記第２の送受信ポートで受信された前記パケット網からのパケットと、前記第４の経路に送出されたパケットとを集約する集約部と、
前記集約部で集約されたパケットを前記信号にマッピングして前記ＳＯＮＥＴ／ＳＤＨスイッチ部に送出するマッピング部とを含み、
前記ＳＯＮＥＴ／ＳＤＨスイッチ部は、前記第１及び第２のＬＡＮインタフェース部の双方に障害が発生していない場合には、前記ＳＯＮＥＴ／ＳＤＨインタフェース部で受信される前記ＳＯＮＥＴ／ＳＤＨ網からの前記信号を前記第１のＬＡＮインタフェース部のデマッピング部に転送し、前記第１のＬＡＮインタフェース部のマッピング部から入力される、前記パケット網からのパケットがマッピングされた前記信号，及び前記第２の経路に振り分けられたパケットがマッピングされた前記信号の双方を前記第２のＬＡＮインタフェース部のデマッピング部に転送し、前記第２のＬＡＮインタフェース部のマッピング部から入力される前記信号を前記ＳＯＮＥＴ／ＳＤＨインタフェース部に転送する
ＳＯＮＥＴ／ＳＤＨ装置である。
【００１０】
好ましくは、本発明の第１の態様における振り分け部は、前記第１のＬＡＮインタフェース部のリンク障害が検出された場合に、前記第１の経路に対する振り分けを停止して前記第２の経路のみにパケットを送出する。
【００１１】
好ましくは、本発明の第１の態様における振り分け部は、前記第１の第２のＬＡＮインタフェース部のリンク障害が検出された場合に、前記第２の経路に対する振り分けを停止して前記第１の経路のみにパケットを送出する。
【００１２】
好ましくは、本発明の第１の態様におけるＳＯＮＥＴ／ＳＤＨスイッチ部は、前記第１のＬＡＮインタフェース部の装置障害が検出された場合に、前記ＳＯＮＥＴ／ＳＤＨインタフェース部から入力される前記信号を、前記第１のＬＡＮインタフェース部の前記デマッピング部に入力することなく、前記第２のＬＡＮインタフェース部の前記デマッピング部に入力する。
【００１３】
好ましくは、本発明の第１の態様では、前記第２のＬＡＮインタフェース部の装置障害が検出された場合に、前記ＳＯＮＥＴ／ＳＤＨスイッチは、前記第１のＬＡＮインタフェース部のマッピング部から入力される前記信号を、前記第２のＬＡＮインタフェース部に入力することなく前記ＳＯＮＥＴ／ＳＤＨインタフェース部に入力し、前記第１のＬＡＮインタフェース部の前記振り分け部は、前記第２の経路に対するパケットの振り分けを停止して前記第１の経路のみにパケットを送出する。
【００１４】
本発明の第２の態様は、ＳＯＮＥＴ／ＳＤＨ網に配置され、パケット網と接続されるＳＯＮＥＴ／ＳＤＨ装置であって、
前記ＳＯＮＥＴ／ＳＤＨ網に接続されるＳＯＮＥＴ／ＳＤＨインタフェース部と、
前記ＳＯＮＥＴ／ＳＤＨインタフェース部に接続されたＳＯＮＥＴ／ＳＤＨスイッチ部と、
前記ＳＯＮＥＴ／ＳＤＨスイッチ部に接続された第１及び第２のＬＡＮインタフェース部とを備え、
前記第１のＬＡＮインタフェース部は、
前記ＳＯＮＥＴ／ＳＤＨスイッチから入力される、パケットがマッピングされた信号に対するデマッピングを行い、該信号からパケットを得るデマッピング部と、
前記デマッピング部で得られたパケットを２方向に振り分ける第１の振り分け部と、
前記第１の振り分け部で前記２方向の一方に振り分けられたパケットを第１及び第２の経路に振り分ける第２の振り分け部と、
前記第１の振り分け部で前記２方向の他方に振り分けられたパケットを第３及び第４の経路に振り分ける第３の振り分け部と、
前記パケット網との間でパケットを送受信するための二つの送受信ポートであって、前記第１の経路を通じて受信されるパケットを前記パケット網に送出する第１の送受信ポートと、前記第３の経路を通じて受信されるパケットを前記パケット網に送出する第２の送受信ポートとを含む送受信部と、
前記第１及び第２の送受信ポートで前記パケット網から受信されたパケットを集約する第１の集約部と、
前記第２及び第４の経路に振り分けられたパケットを集約する第２の集約部と、
前記第１の集約部で集約されたパケット，及び前記第２の集約部で集約されたパケットの夫々を前記信号にマッピングして前記ＳＯＮＥＴ／ＳＤＨスイッチに送出するマッピング部とを含み、
前記第２のＬＡＮインタフェース部は、
前記ＳＯＮＥＴ／ＳＤＨスイッチから入力される、前記第１の集約部で集約されたパケットがマッピングされた信号，及び前記第２の集約部で集約されたパケットがマッピングされた信号に対するデマッピングを行い、各信号からパケットを得るデマッピング部と、
前記デマッピング部で得られた、前記第１の集約部で集約されたパケットを第５及び第６の経路に振り分ける第４の振り分け部と、
前記デマッピング部で得られた、前記第２の集約部で集約されたパケットを第７及び第８の経路に振り分ける第５の振り分け部と、
前記パケット網との間でパケットを送受信するための二つの送受信ポートであって、前記第５の経路を通じて受信されるパケットを前記パケット網に送出する第３の送受信ポートと、前記第７の経路を通じて受信されるパケットを前記パケット網に送出する第４の送受信ポートとを含む送受信部と、
前記第３及び第４の送受信ポートで前記パケット網から受信されたパケットを集約する第３の集約部と、
前記第６及び第８の経路に振り分けられたパケットを集約する第４の集約部と、
前記第３の集約部で集約されたパケットと、前記第４の集約部で集約されたパケットとを集約する第５の集約部と、
前記第５の集約部で集約されたパケットを、前記信号にマッピングして前記ＳＯＮＥＴ／ＳＤＨスイッチに送出するマッピング部とを含み、
前記ＳＯＮＥＴ／ＳＤＨスイッチは、前記第１及び第２のＬＡＮインタフェース部の双方に障害が発生していない場合には、前記ＳＯＮＥＴ／ＳＤＨインタフェース部で受信される前記ＳＯＮＥＴ／ＳＤＨ網からの前記信号を前記第１のＬＡＮインタフェース部のデマッピング部に転送し、前記第１のＬＡＮインタフェース部のマッピング部から入力される、前記第１の集約部で集約されたパケットがマッピングされた前記信号，及び前記第２の集約部で集約されたパケットがマッピングされた前記信号の双方を前記第２のＬＡＮインタフェース部のデマッピング部に転送し、前記第２のＬＡＮインタフェース部のマッピング部から入力される前記信号を前記ＳＯＮＥＴ／ＳＤＨインタフェース部に転送する
ＳＯＮＥＴ／ＳＤＨ装置である。
【００１５】
本発明の第３の態様は、ＳＯＮＥＴ／ＳＤＨ網に配置され、パケット網と接続されるＳＯＮＥＴ／ＳＤＨ装置であって、
前記ＳＯＮＥＴ／ＳＤＨ網との間で、パケットがマッピングされた信号を送受信するＳＯＮＥＴ／ＳＤＨインタフェース部と、
前記パケット網との間でパケットを送受信するための送受信部，パケットを前記信号にマッピングするマッピング部，及び前記信号に対するデマッピングを通じて該信号からパケットを得るデマッピング部を夫々含む第１及び第２のＬＡＮインタフェース部と、
前記ＳＯＮＥＴ／ＳＤＨインタフェース部，並びに前記第１及び第２のＬＡＮインタフェース部との間で、前記信号の転送処理を行うスイッチ部とを含み、
前記スイッチ部は、前記ＳＯＮＥＴ／ＳＤＨインタフェースから入力された前記信号を前記第１のＬＡＮインタフェース部に転送し、
前記第１のＬＡＮインタフェース部は、前記スイッチ部からの信号のデマッピングを通じてパケットを取得し、パケットの一部を送受信部から前記パケット網に送信するともに、残りを前記信号にマッピングして前記スイッチ部に送出し、
前記スイッチ部は、前記第１のＬＡＮインタフェース部からの前記信号を前記第２のＬＡＮインタフェース部に転送し、
前記第２のＬＡＮインタフェース部は、前記スイッチ部からの前記信号のデマッピングを通じて得られたパケットを前記送受信部から前記パケット網に送信する
ＳＯＮＥＴ／ＳＤＨ装置である。
【発明の効果】
【００１６】
本発明によれば、ＳＯＮＥＴ／ＳＤＨ装置において、既存のＳＯＮＥＴ／ＳＤＨスイッチの機能変更を行うことなく、ＬＡＮインタフェースカード間を跨いだプロテクション機能を提供することができる。
【発明を実施するための最良の形態】
【００１７】
以下、図面を参照して本発明の実施形態について説明する。実施形態の構成は例示であり、本発明は実施形態の構成に限定されない。
【００１８】
〔第１実施形態〕
〈ネットワーク構成〉
図３は、ＳＯＮＥＴ／ＳＤＨ網(以下ＳＯＮＥＴ網)とパケット網とが結合された複合ネットワークに対して本発明を適用した冗長構成を有するネットワーク構成例を示す図である。図３に示すように、ＳＯＮＥＴ網とパケット網とが接続される場合には、パケット網のパケットスイッチ装置の１つ(Packet SW装置Ｐ)とＳＯＮＥＴ網のＳＯＮＥＴ装置の１つ(ＳＯＮＥＴ装置Ｓ)とが接続される。
【００１９】
パケットスイッチ装置Ｐは、パケットスイッチＰ１と、複数のEthernet（登録商標）インタフェースカードＰ２(以下、「Ｅ−ＩＦカード」と表記)とを備える(図３では２つ(＃１及び＃２))。一方、ＳＯＮＥＴ装置Ｓは、パケットスイッチ装置Ｐに対応するＥ−ＩＦカードＳ２(＃１及び＃２)、及びＳＯＮＥＴインタフェースカードＳ１を備える。
【００２０】
パケットスイッチ装置ＰのＥ−ＩＦカードＰ２(＃１及び＃２)とＳＯＮＥＴ装置ＳのＥ−ＩＦカードＳ２(＃１及び＃２)とが接続される。ＳＯＮＥＴ装置Ｓでは、各Ｅ−ＩＦカードＳ２(＃１及び＃２)にて、パケット網からのパケットがＥＯＳ信号にマッピング(変換)され、ＳＯＮＥＴインタフェースカードＳ１に入力される。一方、ＳＯＮＥＴインタフェースカードＳ１から出力されるＥＯＳ信号は、各Ｅ−ＩＦカードＳ２(＃１及び＃２)にて、パケットに変換(De-mapping)される(ＥＯＳ機能)。
【００２１】
Ｅ−ＩＦカードＰ２とＥ−ＩＦカードＳ２とが夫々接続されることで、パケットスイッチ装置ＰとＳＯＮＥＴ装置Ｓとの間は、二つの双方向のＥ−回線で接続された状態となる。通常時には、イーサネットリンクアグリゲーション(Ethernet （登録商標）Link Aggregation)機能を用いて、二つのＥ−回線を１つの論理的な回線として扱うことにより、伝送帯域を有効に利用することができる。一方、いずれかのＥ−回線(経路)に障害が生じた場合には、障害が生じた側の回線で送受信されていたパケットを障害が生じていない側の回線に迂回させることで、通信を保護(パケットの到達性を補償)することができる。
【００２２】
〈装置構成〉
図４は、図３に示したＳＯＮＥＴ装置Ｓの構成例を示す図である。図４において、ＳＯＮＥＴ装置Ｓに相当するＳＯＮＥＴ装置１００は、図３に示したＳＯＮＥＴインタフェースＳ１に相当するＯＣｘｘインタフェースカード１０(ＳＯＮＥＴ／ＳＤＨインタフェース部に相当)及びＳＯＮＥＴスイッチ２０(ＳＯＮＥＴ／ＳＤＨスイッチ部，スイッチ部に相当)と、複数の(ここでは二つ)のＥ−ＩＦカード３０(＃１及び＃２：第１及び第２のＬＡＮインタフェース部に相当)とからなる。
【００２３】
ＯＣｘｘインタフェースカード１０は、ＳＯＮＥＴ網のインタフェースを有し、ＳＯＮＥＴのライン／セクション(Line/Section)の終端を行う。また、Ｏ／Ｅ(光／電気)変換ユニット１１及びＥ／Ｏ変換ユニット１２を備える。
【００２４】
ＳＯＮＥＴスイッチ２０は、ＳＯＮＥＴクロスコネクト(SONET Cross Connect)，及びＳＯＮＥＴパススイッチ(SONET Path Switch)機能を有する。図４において、ＳＯＮＥＴスイッチ２０は、二つのパススイッチ(SONET P-SW)２１及び２２を備えている。
【００２５】
Ｅ−ＩＦカード３０は、ＥＯＳ(Ethernet Over SONET)部３１，ＥＧ(Egress block)部３２，ＩＧ(Ingress block)部３３，ＭＡＣ(Media Access Control)部３４，ＰＨＹ部３
５，及びＳＦＰ(Small Form-Factor Pluggable)部３６を備える。Ｅ−ＩＦカード３０は、Ethernet (登録商標)インタフェース，パケットの振り分け(distribution)/集約(collection)、EOS(Ethernet Over SONET)機能等を行う。
【００２６】
ＥＯＳ部３１は、ＥＯＳに係る処理を行う機能部であり、ＥＯＳ機能として、ＥＯＳ信号に対するデマッピング(de-mapping)処理を行うことで、ＥＯＳ信号からパケットを得るデマッピング部３１１と、パケットをＥＯＳ信号にマッピング(mapping)するマッピング部３１２とを備える。
【００２７】
ＥＧ部３２は、ＳＯＮＥＴ網の出力処理部であり、ＥＯＳ部３１から送出されるパケットの振り分けを行う振り分け部(distributor)３２１を備えている。ＩＧ部３３は、ＳＯＮＥＴ網の入力処理部であり、パケットをパケット単位で集約する集約処理を行う集約部(collector)３３１を備えている。
【００２８】
ＭＡＣ部３４は、パケットに対するＭＡＣ層の処理を司るＭＡＣ層処理部である。ＭＡＣ部３４は、二つのポートＰ＿１及びＰ＿２を有している。ＰＨＹ部３５は、パケットに対する物理層の処理を司る物理層処理部である。ＰＨＹ部３５も、二つのポートＰ＿１及びＰ＿２を有している。
【００２９】
送受信部としてのＳＦＰ部３６は、パケットスイッチ装置(図３)からの光信号を電気信号に変換するＯ／Ｅ変換機能、ＰＨＹ部３５からの電気信号を光信号に変換してパケットスイッチ装置へ送出するＥ／Ｏ変換機能を備えている。
【００３０】
上述した各ブロックは、次のように接続されている。すなわち、Ｏ／Ｅ変換ユニット１１からの信号は、ＳＯＮＥＴスイッチ２０によるクロスコネクト機能によって、Ｅ−ＩＦカード＃１のデマッピング部３１１とパススイッチ２１との一方に接続される(図４の(１))。
【００３１】
また、ＳＯＮＥＴスイッチ２０のクロスコネクト機能によって、パススイッチ２２に対し、Ｅ−ＩＦカード＃１のマッピング部３１２からの出力と、Ｅ−ＩＦカード＃２のマッピング部３１２の出力との一方のみが接続されるように構成されている(図４の(２)及び(３))。
【００３２】
また、ＳＯＮＥＴスイッチ２０のクロスコネクト機能によって、Ｅ−ＩＦカード＃１からの信号の出力先が、パススイッチ２１とパススイッチ２２との間で切り替えられるように構成されている(図４の(２),(３)及び(４))。その他は、各Ｅ−ＩＦカード＃及び＃２内の物理的配線にて接続される。
【００３３】
ＳＯＮＥＴ装置１００は、通常状態(Ｅ−ＩＦカード部＃１及び＃２の双方に障害が発生していない場合)には、次のような状態にされる。すなわち、Ｅ−ＩＦカード＃１の集約部（Packet Collector）３３１(図４の(７))，及びＥ−ＩＦカード＃２の振り分け部(Packet Distributor)３２１(図４の(８))による処理は無効とされ、集約部３３１及び振り分け部３２１は入力されるパケットのスルーのみを行う。
【００３４】
また、パススイッチ２１(図４の(１５))は、図４中の(１)のパス(ＯＣｘｘインタフェースカード１０からの信号)と図４中の(３)及び(４)のパス(Ｅ−ＩＦカード＃１からの信号)との一方を選択するＳＯＮＥＴパススイッチである。パススイッチ２１は、通常状態においては、(３)及び(４)のパス(Ｅ−ＩＦカード＃１からの信号)を選択する。
【００３５】
さらに、パススイッチ２２は、図４中の(３)のパス(Ｅ−ＩＦカード＃１からの信号)と
図４中の(２)のパス(Ｅ−ＩＦカード＃２からの信号)との一方を選択するＳＯＮＥＴパススイッチであり、通常状態では(２)のパスを選択する。
【００３６】
〈信号の流れ〉
《通常状態》  
次に、図４を用いて、ＳＯＮＥＴ装置１００の通常状態におけるＳＯＮＥＴ網からの信号(ＥＯＳ信号)、及びパケット網からの信号(Ｅ−パケット)の流れについて説明する。
【００３７】
[ＳＯＮＥＴ網からの信号]
通常状態では、ＳＯＮＥＴスイッチ２０のクロスコネクト機能(図４の(１))により、ＯＣｘｘインタフェースカード１０に入力されたEthernet （登録商標）Over SONET(EOS)信号は、Ｅ−ＩＦカード＃１に接続される。
【００３８】
Ｅ−ＩＦカード＃１では、ＥＯＳ部３１のデマッピング部３１１にて、ＥＯＳ信号からEthernet （登録商標）パケット（Ｅ−パケット）へのデマッピングが行われる。デマッピングにより得られたＥ−パケットは、ＥＧ部３２の振り分け部３２１にて２方路(第１及び第２の経路)へ分配(振り分け：distribute)される。
【００３９】
第１の経路に振り分けられたＥ−パケットは、ＭＡＣ部３４のポートＰ＿１に入力される。ポートＰ＿１に入力されたＥ−パケットはＰＨＹ部３５のポートＰ＿１を通ってＳＦＰ部３６(第１の送受信ポート)に到達し、Ｅ−回線＃１へ出力される。これによって、Ｅ−パケットが対向するパケットスイッチ装置(例えば、図３のパケットスイッチ装置Ｐ)へ転送される。
【００４０】
また、第２の経路に振り分けられたＥ−パケットは、ＭＡＣ部３４のポートＰ＿２に入力され、ＰＨＹ部３５のポートＰ＿２を通過した後、このポートＰ＿２に対して予め設定されている折り返し接続(図４の(９))によって、再びＰＨＹ部３５のポートＰ＿２に入力され、ＭＡＣ部３４のポートＰ＿２を通じてＩＧ部３３の集約部３３１(図４の(７))に入力される。
【００４１】
集約部３３１では、Ｅ−パケットのスルーのみが行われ、Ｅ−パケットは、ＥＯＳ部３１のマッピング部(EOS Mapping block：図４の(１３))３１２に入力される。Ｅ−パケットは、マッピング部３１２にてＥＯＳ信号に変換された後、パケットスイッチ２０のクロスコネクト機能によって、(４)のパスを通り、パススイッチ２１を介してＥ−ＩＦカード＃２に接続される。
【００４２】
Ｅ−ＩＦカード＃２において、ＥＯＳ信号はＥＯＳ部３１のデマッピング部３１１(図４の(１２))に入力され、ＥＯＳ信号からＥ−パケットへのデマッピングが行われる。その後、Ｅ−パケットは、デマッピング部３１１からＳＦＰ部３６へ向かう第３の経路に送出される。第３の経路に送出されたＥ−パケットは、ＥＧ部３２の振り分け部３２１(図４の(８))に入力される。
【００４３】
Ｅ−ＩＦカード＃２の振り分け部３２１は、Ｅ−パケットのスルーのみを行い、Ｅ−パケットは、第３の経路上にあるＭＡＣ部３４のポートＰ＿１に入力される。その後、Ｅ−パケットは、ＰＨＹ部３５のポートＰ＿１を経てＳＦＰ部３６(第２の送受信ポート)に到達し、Ｅ−回線＃２から送出される。
【００４４】
以上説明したように、ＯＣｘｘインタフェースカード１０に入力されたＥＯＳ信号は、Ｅ−パケットにデマッピングされた後、Ｅ−ＩＦカード＃１及びＥ−ＩＦカード＃２に振り分けられ、二つのＥ−回線へ出力される。
【００４５】
[パケット網からのパケット]
Ｅ−ＩＦカード＃２に入力されたＥ−パケットは、ＳＦＰ部３６(第２の送受信ポート)，ＰＨＹ部３５のポートＰ＿１，及びＭＡＣ部３４のポートＰ＿１を通過し、ＩＧ部３３の集約部３３１(図４の(６))に入力される。
【００４６】
一方、Ｅ−ＩＦカード＃１のＳＦＰ部３６(第１の送受信ポート)でパケット網から受信されたＥ−パケットは、ＰＨＹ部３５のポートＰ＿１，及びＭＡＣ部３４のポートＰ＿１を通過し、ＩＧ部３３の集約部３３１(図４の(７))に入力される。集約部３３１は、Ｅ−パケットをスルーし、Ｅ−パケットは、ＥＯＳ部３１のマッピング部３１２(図４の(１３))でＥＯＳ信号にマッピングされた後、ＳＯＮＥＴスイッチ２０のクロスコネクト機能により図４の(３)のパスを通ってパススイッチ２１に入力され、パススイッチ２１を介してＥ−ＩＦカード＃２のデマッピング部３１１(図４の(１２))に入力される。
【００４７】
その後、デマッピング部３１１でＥＯＳ信号がＥ−パケットにデマッピングされる。デマッピングによって得られたＥ−パケットは、デマッピング部３１１から集約部３３１との間に設けられた第４の経路に送出される。第４の経路に送出されたＥ−パケットは、ＥＧ部３２の振り分け部３２１に入力される。振り分け部３２１は、Ｅ−パケットのスルーを行い、Ｅ−パケットを第４の経路上にあるＭＡＣ部３４のポートＰ＿２に入力する。
【００４８】
ポートＰ＿２に入力されたＥ−パケットは、ＰＨＹ部３５のポートＰ＿２を通過した後、このポートＰ＿２に対して予め設定されている折り返し接続(図４の(１０))によって、再びＰＨＹ部３５のポートＰ＿２に入力され、ＭＡＣ部３４のポートＰ＿２を通過してＩＧ部３３の集約部３３１に到達する。このようにして、Ｅ−ＩＦカード＃１で受信されたＥ−パケットとＥ−ＩＦカード＃２で受信されたＥ−パケットとは、Ｅ−ＩＦカード＃２の集約部３３１で合流する。
【００４９】
集約部３３１は、Ｅ−ＩＦカード＃１からのＥ−パケットとＥ−ＩＦカード＃２で受信されたＥ−パケットとの集約を行った後、ＥＯＳ部のマッピング部３１２(図４の(１４))に入力する。マッピング部３１２は、Ｅ−パケットをＥＯＳ信号にマッピングした後、ＥＯＳ信号を送出する。ＳＯＮＥＴスイッチ２０は、ＥＯＳ信号を図４の(２)のパスを介してパススイッチ２２(図４の(１６))に接続する(図４の(２))。パススイッチ２２は、ＥＯＳ信号をＯＣｘｘインタフェースカード１０に転送し、転送されたＥＯＳ信号は、Ｅ／Ｏ変換ユニット１２でのＥ／Ｏ変換処理を経てＳＯＮＥＴ網へ送出される。
【００５０】
以上によりＥ−ＩＦカード＃１及びＥ−ＩＦカード＃２で受信されたＥ−パケットは、集約部３３１においてパケット単位で集約された後にＥＯＳ信号にマッピングされる。ＥＯＳ信号は、ＳＯＮＥＴスイッチ２０を経てＯＣｘｘインタフェースカード１０から出力される。
【００５１】
《Ｅ−ＩＦカード＃１のリンク障害時》
図５は、図４に示したＳＯＮＥＴ装置が備えるＥ−ＩＦカード＃１にリンク障害が発生した場合の動作例を示す図である。図５では、Ｅ−ＩＦカード＃１とパケットスイッチ装置(図３)とを結ぶＥ−回線(リンク)が切断された状態を示している。このようなリンク障害は、例えば、ＳＯＮＥＴ装置１００に搭載され、ＳＯＮＥＴ装置の動作を制御する制御ＣＰＵ４０により検出される。
【００５２】
制御ＣＰＵ４０は、Ｅ−ＩＦカード＃１のリンク障害を検出すると、Ｅ−ＩＦカード＃１のＥＧ部３２の振り分け部３２１(図５の(５))に対し、振り分けを停止してＭＡＣ部３４のポートＰ＿２のみにＥ−パケットを出力する設定を行う。これによって、リンク障害
の発生前においてＥ−ＩＦカード＃１から出力されていたＥ−パケットは、Ｅ−ＩＦカード＃２から出力されることになる。
【００５３】
また、リンク障害前では、Ｅ−ＩＦカード＃２の集約部３３１(図５の(６))に対し、Ｅ−ＩＦカード＃１に入力されたＥ−パケットがＭＡＣ部３４のポートＰ＿２から入力される。これに対し、リンク障害が発生すると、そのようなポートＰ＿２からの入力がなくなる。しかしながら、Ｅ−ＩＦカード＃２で受信されるＥ−パケットは、障害発生前と同様に、ＭＡＣ部３４のポートＰ＿１から集約部３３１に入力される。
【００５４】
このため、集約部３３１に対する設定変更は行われず、集約部３３１による集約処理は無効にされない。即ち、集約部３３１は、もともとＥ−ＩＦカード＃１及び＃２の双方からのＥ−パケットを集約していたので、Ｅ−ＩＦカード＃１からのＥ−パケット入力がなくなっても集約動作を変更する必要はない。なお、振り分け部３２１を除く各ブロックは、通常状態と同様の動作を行う。
【００５５】
以上説明したように、Ｅ−ＩＦカード＃１にリンク障害が発生した場合には、Ｅ−ＩＦカード＃２のリンク(Ｅ−回線＃２)で、パケットスイッチ装置Ｐ(図３)との通信を継続することができる。なお、この場合、パケットスイッチ装置Ｐは、Ｅ−ＩＦカード＃１へのパケット送信を停止して、Ｅ−ＩＦカード＃２のみへＥ−パケットを送出する状態に遷移する。
【００５６】
その後、リンク障害からの復旧時には、Ｅ−ＩＦカード＃１の振り分け部３２１は、一旦パケットの振り分け処理を停止する。その後、振り分け部３２１は、所定時間が経過した後に、２方路への振り分けを再開する。このような制御は、例えば制御ＣＰＵ４０の指示に従って行われる。所定時間は、例えばユーザによって決定される。
【００５７】
《Ｅ−ＩＦカード＃２のリンク障害時》
図６は、図４に示したＳＯＮＥＴ装置が備えるＥ−ＩＦカード＃２にリンク障害が発生した場合の動作例を示す図である。図６において、Ｅ−ＩＦカード＃２のリンク障害が検出されると、制御ＣＰＵ４０は、Ｅ−ＩＦカード＃１の振り分け部３２１(図６の(５))に対して、振り分けを停止してＭＡＣ部３４のポートＰ＿１のみにＥ−パケットを送出する設定を行う。これによって、リンク障害前においてＥ−ＩＦカード＃２から出力されていたＥ−パケットがＥ−ＩＦカード＃１から出力される状態に遷移する。
【００５８】
また、リンク障害前では、Ｅ−ＩＦカード＃２の集約部３３１(図５の(６))に対し、Ｅ−ＩＦカード＃２に入力されたＥ−パケットがＭＡＣ部３４のポートＰ＿１から入力される。これに対し、リンク障害が発生すると、そのようなポートＰ＿１からの入力がなくなる。しかしながら、Ｅ−ＩＦカード＃１で受信されるＥ−パケットは、障害発生前と同様に、ＭＡＣ部３４のポートＰ＿２から集約部３３１に入力される。
【００５９】
このため、集約部３３１に対する設定変更は行われず、集約部３３１による集約処理は無効にされない。即ち、集約部３３１は、もともとＥ−ＩＦカード＃１及び＃２の双方からのＥ−パケットを集約していたので、Ｅ−ＩＦカード＃２からのＥ−パケット入力がなくなっても集約動作を変更する必要はない。なお、振り分け部３２１を除く各ブロックは、通常状態と同様の動作を行う。
【００６０】
以上説明したように、Ｅ−ＩＦカード＃２にリンク障害が発生した場合には、Ｅ−ＩＦカード＃１のリンク(Ｅ−回線＃１)で、パケットスイッチ装置Ｐ(図３)との通信を継続することができる。なお、この場合、パケットスイッチ装置Ｐは、Ｅ−ＩＦカード＃２へのパケット送信を停止して、Ｅ−ＩＦカード＃１のみへＥ−パケットを送出する状態に遷移
する。
【００６１】
その後、リンク障害からの復旧時には、Ｅ−ＩＦカード＃１の振り分け部３２１は、一旦パケットの振り分け処理を停止する。その後、振り分け部３２１は、所定時間が経過した後に、２方路への振り分けを再開する。このような制御は、例えば制御ＣＰＵ４０の指示に従って行われる。所定時間は、例えばユーザによって決定される。
【００６２】
《Ｅ−ＩＦカード＃１の装置障害時》
図７は、図４に示したＳＯＮＥＴ装置が備えるＥ−ＩＦカード＃１に装置障害(カード障害)が発生した場合の動作例を示す図である。図７において、Ｅ−ＩＦカード＃１のカード障害が例えば制御ＣＰＵ４０で検出されると、制御ＣＰＵ４０からの指示に従い、ＳＯＮＥＴスイッチ２０は、ＯＣｘｘインタフェースカード１０からのＥＯＳ信号を、Ｅ−ＩＦカード＃１ではなくパススイッチ２１に接続する状態に切り替える。また、ＳＯＮＥＴスイッチ２０のパススイッチ２１は、出力すべき選択信号を、Ｅ−ＩＦカード＃１からのＥＯＳ信号(図７の(３)及び(４))から、ＯＣｘｘインタフェースカード１０からのＥＯＳ信号(図７の(１))に切り替える。
【００６３】
これによって、カード障害前においてＥ−ＩＦカード＃１から出力されていたＥ−パケットが、Ｅ−ＩＦカード＃１を通過することなくＥ−ＩＦカード＃２から出力されることになる。このとき、Ｅ−ＩＦカード＃２に対する設定変更は行われない。従って、Ｅ−ＩＦカード＃２に入力されるＥ−パケットは、通常状態と同様の経路を通じて、ＳＯＮＥＴ網へ出力される。
【００６４】
このように、Ｅ−ＩＦカード＃１にカード障害が生じても、Ｅ−ＩＦカード＃２を用いて、パケットスイッチ装置Ｐ(図３)との通信を継続することができる。なお、この場合、パケットスイッチ装置Ｐは、Ｅ−ＩＦカード＃１へのパケット送信を停止して、Ｅ−ＩＦカード＃２のみへＥ−パケットを送出する状態に遷移する。
【００６５】
《Ｅ−ＩＦカード＃２の装置障害時》
図８は、図４に示したＳＯＮＥＴ装置が備えるＥ−ＩＦカード＃２に装置障害(カード障害)が発生した場合の動作例を示す図である。図８において、Ｅ−ＩＦカード＃２のカード障害が例えば制御ＣＰＵ４０で検出されると、制御ＣＰＵ４０は、Ｅ−ＩＦカード＃１の振り分け部３２１(図８の(５))に対し、振り分けを停止してＭＡＣ部３４のポートＰ＿１のみにＥ−パケットを出力する設定を行う。これによって、カード障害前ではＥ−ＩＦカード＃２から出力されていたＥ−パケットがＥ−ＩＦカード＃１から出力される状態に遷移する。
【００６６】
また、Ｅ−ＩＦカード＃２のカード障害が検出されると、例えば制御ＣＰＵ４０からの指示に応じて、ＳＯＮＥＴスイッチ２０は、Ｅ−ＩＦカード＃１からのＥＯＳ信号をパススイッチ２２に接続する状態に遷移し、パススイッチ２２は、Ｅ−ＩＦカード＃２ではなくＥ−ＩＦカード＃１からのＥＯＳ信号を選択信号として選択及び出力する状態に遷移する。これによって、Ｅ−ＩＦカード＃１に入力されたＥ−パケットがＥ−ＩＦカード＃２を経由することなくＳＯＮＥＴ網に出力される。
【００６７】
このように、Ｅ−ＩＦカード＃２にカード障害が生じても、Ｅ−ＩＦカード＃１を用いてパケットスイッチ装置Ｐ(図３)との通信を継続することができる。なお、この場合、パケットスイッチ装置Ｐは、Ｅ−ＩＦカード＃２へのパケット送信を停止して、Ｅ−ＩＦカード＃１のみへＥ−パケットを送出する状態に遷移する。
【００６８】
〈第１実施形態の効果〉
本発明の第１実施形態によれば、既存のＳＯＮＥＴ装置のＳＯＮＥＴスイッチが備えるクロスコネクト機能及びパススイッチ機能、並びに既存のＥ−ＩＦカードが備えるリンクアグリゲーション技術に基づくパケットの振り分け及び集約機能を用いて、Ｅ−ＩＦカード間(ＳＯＮＥＴスイッチ)を跨るEthernet （登録商標）Protection機能(Ｅ−回線の冗長構成)を提供することができる。これによって、Ｅ−回線の品質向上を図ることができる。
【００６９】
また、ＳＯＮＥＴ装置とパケットスイッチ装置との間に設けられた二つのＥ−回線を用いてリンクアグリゲーションを行うことで、Ｅ−回線の帯域を増加することができる。
【００７０】
上述したように、本発明の第１実施形態では、既存のＳＯＮＥＴ装置のＳＯＮＥＴスイッチ２０が備える構成，機能，及びインタフェースを変更することがない。よって、低コストでプロテクション機能を実現することができる。
【００７１】
さらに、第１実施形態によれば、カード障害時においては、パスをＳＯＮＥＴパススイッチで切り替えるので、経路の切り替えに要する時間を短縮することができる。
【００７２】
また、ＭＡＣ部及びＰＨＹ部として、夫々２ポートを備えるものを使用し、ポートＰ＿１を第１の経路上に配置し、ポートＰ＿２を第２の経路上に配置する。そして、ポートＰ＿２に対する折り返し接続を行うことで、第２の経路に振り分けられたＥ−パケットを、ＰＨＹ部３５及びＭＡＣ部３４による処理を経た状態で集約部３３１に接続することができる。
【００７３】
また、第１実施形態では、共通の構成を有するＥ−ＩＦカードを二つ用意し、Ｅ−ＩＦカード＃１のＩＧ部３３の集約部３３１を無効にし、Ｅ−ＩＦカード＃１のＥＧ部３２の振り分け部を無効に設定している。これによって、異なるハードウェア構成を有する二つのＥ−ＩＦカードを用意する必要がなく、コストの低減を図ることができる。
【００７４】
〔第２実施形態〕
上述した第１実施形態では、Ｅ−ＩＦカード＃１及び＃２の夫々が２ポートを有する構成例について説明した。第２実施形態では、４ポートを有するＥ−ＩＦカードが適用される場合について説明する。第２実施形態は、第１実施形態と共通の構成を有するので、主として相違点について説明し、共通点については説明を省略する。
【００７５】
図９は、本発明の第２実施形態におけるＳＯＮＥＴ装置の構成例を示す図である。図９に示すＳＯＮＥＴ装置１００Ａは、例えば、図３に示したネットワーク構成において適用可能である。但し、図３と異なり、ＳＯＮＥＴ装置とパケットスイッチ装置とは、夫々４つのＥ−ＩＦカードを有し、対応するＥ−ＩＦカード間が夫々接続される。言い換えれば、ＳＯＮＥＴ装置とパケットスイッチ装置との間が４つのＥ−回線で接続された状態にされる。
【００７６】
図９に示すＳＯＮＥＴ装置１００Ａにおいて、ＯＣｘｘインタフェースカード１０及びＳＯＮＥＴスイッチ２０の構成は、第１実施形態と同じである。また、各Ｅ−ＩＦカード３０(＃１及び＃２)においても、ＥＯＳ部３１の構成は同じである。さらに、ＳＯＮＥＴスイッチ２０内のクロスコネクト機能及びパススイッチ２１及び２２を用いた接続状態(図９の(１)〜(４))は、第１実施形態と同様である。このため、これらの説明は省略する。
【００７７】
これに対し、Ｅ−ＩＦカード＃１及び＃２は、以下の点で第１実施形態と異なっている。
【００７８】
〈１〉各ＥＧ部３２が、単一の振り分け部(distributor)３２１ではなく、３つの振り分け部＃１,＃２及び＃３を備えている。振り分け部＃１は、ＥＯＳ部３１側に配置され、振り分け部＃２及び＃３は、ＭＡＣ部３４側に並列に配置されている。振り分け部＃１は、デマッピング部からのＥ−パケットを２方路(２方向)に振り分けることができる。振り分け部＃２は、上記２方向の一方に振り分けられたＥ−パケットを受け取り、振り分け部＃３は、上記２方向の他方に振り分けられたＥ−パケットを受け取るように構成される。振り分け部＃２及び＃３の夫々は、入力されたＥ−パケットを２方路に振り分ける。
【００７９】
〈２〉各ＩＧ部３３が、単一の集約部(collector)３３１ではなく、３つの集約部＃１,＃２及び＃３を備えている。集約部＃１は、ＥＯＳ部３１側に配置され、集約部＃２及び＃３は、ＭＡＣ部３４側に並列に配置されている。集約部＃２及び＃３の夫々は、ＭＡＣ部３４から入力されるパケットをパケット単位で集約する。集約部＃１は、集約部＃２及び＃３から入力されるパケットをパケット単位で集約し、マッピング部３１２に入力する。
【００８０】
〈３〉ＭＡＣ部３４が、二つのポートではなく、四つのポートＰ＿１,Ｐ＿２,Ｐ＿３及びＰ＿４を備えている。
【００８１】
〈４〉ＰＨＹ部３５が、ＭＡＣ部３４のポートに応じた四つのポートＰ＿１,Ｐ＿２,Ｐ＿３及びＰ＿４を備えている。
【００８２】
〈５〉ＳＦＰ部３６の代わりに、二つのＳＦＰ部３６Ａ及び３６Ｂが設けられている。ＳＦＰ部３６Ａは、ＰＨＹ部３５のポートＰ＿１と接続され、ＳＦＰ部３６Ｂは、ＰＨＹ部３５のポートＰ＿３と接続されている。なお、ＰＨＹ部３５のポートＰ＿２及びＰ＿４の夫々には、折り返し接続が施されている(図９の(９),(１７),(１０),(１８))。
【００８３】
なお、Ｅ−ＩＦカード＃１及び＃２の各構成要素は、Ｅ−ＩＦカード＃１及び＃２内に設けられた物理的配線により接続されている。
【００８４】
ＳＯＮＥＴ装置１００Ａの通常状態(障害が生じていない場合)では、Ｅ−ＩＦカード＃１の集約部＃１(図９の(２０))による集約処理，及びＥ−ＩＦカード＃２の振り分け部＃１(図９の(２１))による振り分け処理は無効に設定され、これらの集約部＃１及び振り分け部＃１は、Ｅ−パケットのスルーのみを行う。通常状態におけるパススイッチ２１及び２２の選択状態は、第１実施形態と同様である。即ち、パススイッチ２１は、図９中の(３)及び(４)のパスを選択し、パススイッチ２２は、図９中の(２)のパスを選択する。
【００８５】
〈信号の流れ〉
《通常状態》  
次に、図９を用いて、ＳＯＮＥＴ装置１００Ａの通常状態におけるＳＯＮＥＴ網からの信号(ＥＯＳ信号)、及びパケット網からの信号(Ｅ−パケット)の流れについて説明する。
【００８６】
[ＳＯＮＥＴ網からの信号]
通常状態では、ＳＯＮＥＴスイッチ２０のクロスコネクト機能(図９の(１))により、ＯＣｘｘインタフェースカード１０でＳＯＮＥＴ網から受信されたＥＯＳ信号は、ＳＯＮＥＴスイッチ２０を介してＥ−ＩＦカード＃１に転送される。Ｅ−ＩＦカード＃１において、ＥＯＳ信号は、デマッピング部３１１(図９の(１１))によるデマッピングを通じてＥ−パケットに変換される。
【００８７】
Ｅ−パケットは、ＥＧ部３２の振り分け部＃１(図９の(１９)：第１の振り分け部)に入
力される。振り分け部＃１は、Ｅ−パケットを２方路(２方向)に分配(distribute)する。これによって、Ｅ−パケットが振り分け部＃２(第２の振り分け部)及び振り分け部＃３(第３の振り分け部)の夫々に入力される。振り分け部＃２及び＃３の夫々は、Ｅ−パケットを２方路に分配する。よって、ＥＯＳ部３１からのＥ−パケットは４方路に分配される。
【００８８】
振り分け部＃２は、Ｅ−パケットを第１及び第２の経路へ振り分ける。振り分け部＃３は、Ｅ−パケットを第３及び第４の経路へ振り分ける。第１の経路へ振り分けられたＥ−パケットは、ＭＡＣ部３４のポートＰ＿１に入力される。第２の経路へ振り分けられたＥ−パケットは、ＭＡＣ部３４のポートＰ＿３に入力される。第３の経路へ振り分けられたＥ−パケットは、ＭＡＣ部３４のポートＰ＿２に入力される。第２の経路へ振り分けられたＥ−パケットは、ＭＡＣ部３４のポートＰ＿４に入力される。
【００８９】
ＭＡＣ部３４のポートＰ＿１に入力されたＥ−パケットは、ＰＨＹ部３５のポートＰ＿１を通ってＳＦＰ部３６Ａ(第１の送受信ポート)に到達する。一方、ＭＡＣ部３４のポートＰ＿３に入力されたＥ−パケットは、ＰＨＹ部３５のポートＰ＿３を通ってＳＦＰ部３６Ｂ(第２の送受信ポート)に到達する。
【００９０】
ＳＦＰ部３６Ａ及び３６Ｂの夫々は、Ｅ−パケットをパケット網へ送信する。このようにして、ＳＯＮＥＴ網からのＥＯＳ信号中のＥ−パケットがＥ−ＩＦカード＃１を通じてパケット網(パケットスイッチ装置：図３)へ転送される。
【００９１】
一方、ＭＡＣ部３４のポートＰ＿２に入力されたＥ−パケットは、ＰＨＹ部３５のポートＰ＿２を通った後、折り返し接続によって再びＰＨＹ部３５のポートＰ＿２に入力され、(図９の(９))、ＭＡＣ部３４のポートＰ＿２を通って集約部＃３(第２の集約部)に到達する。また、ＭＡＣ部３４のポートＰ＿４に入力されたＥ−パケットは、ＰＨＹ部３５のポートＰ＿４を通った後、折り返し接続によって再びＰＨＹ部３５のポートＰ＿４に入力され(図９の(１７))、ＭＡＣ部３４のポートＰ＿４を通過し、集約部＃３(第２の集約部)に到達する。
【００９２】
集約部＃３は、ＭＡＣ部３４の各ポートＰ＿２及びＰ＿４から到着したＥ−パケットを集約し、集約部＃１(図９の(２０))に入力する。集約部＃１は、Ｅ−パケットのスルーのみを行い、Ｅ−パケットはマッピング部３１２(図９の(１３))に入力される。マッピング部３１２は、Ｅ−パケットからＥＯＳ信号へのマッピングを行い、ＳＯＮＥＴスイッチ２０へ送出する。
【００９３】
ＳＯＮＥＴスイッチ２０では、クロスコネクト機能により、Ｅ−ＩＦカード＃１からのＥＯＳ信号(パケット網からのパケットがマッピングされた信号)は、(４)のパスを通じてパススイッチ２１に入力され、パススイッチ２１からＥ−ＩＦカード＃２のデマッピング部３１１(図９の(１２))に接続される。
【００９４】
デマッピング部３１１は、ＥＯＳ信号からＥ−パケットへのデマッピングを行い、Ｅ−パケットはＥＧ部３２の振り分け部＃１(図９の(２１))に入力される。振り分け部＃１は、デマッピング部３１１からのＥ−パケットをスルーし、Ｅ−パケットは振り分け部＃２(第４の振り分け部)に入力される。
【００９５】
振り分け部＃２は、Ｅ−パケットを２方路、即ち第５及び第６の経路へ振り分ける(分配する)。第５の経路へ振り分けられたＥ−パケットは、ＭＡＣ部３４のポートＰ＿１に入力される。第６の経路へ振り分けられたＥ−パケットは、ＭＡＣ部３４のポートＰ＿３に入力される。
【００９６】
ＭＡＣ部３４のポートＰ＿１に入力されたＥ−パケットは、ＰＨＹ部３５のポートＰ＿１を通ってＳＦＰ部３６Ａに到達する。ＭＡＣ部３４のポートＰ＿３に入力されたＥ−パケットは、ＰＨＹ部３５のポートＰ＿３を通ってＳＦＰ部３６Ｂに到達する。ＳＦＰ部３６Ａ及び３６Ｂの夫々は、Ｅ−パケットを二つのＥ−回線に送出する。
【００９７】
このようにして、ＳＯＮＥＴ網からのＥＯＳ信号中のＥ−パケットがＥ−ＩＦカード＃２の送受信部(ＳＦＰ部３６Ａ(第３の送受信ポート)及びＳＦＰ部３６Ｂ(第４の送受信ポート))からパケット網(パケットスイッチ装置：図３)へ送信される。従って、第２実施形態では、ＥＯＳ信号中のＥ−パケットがＥ−ＩＦカード＃１及び＃２の４ポートに振り分けられ出力される。
【００９８】
[パケット網からのパケット]
次に、パケット網からのＥ−パケットの流れを説明する。図９において、Ｅ−ＩＦカード＃２のＳＦＰ部３６Ａ(第３の送受信ポート)及び３６Ｂ(第４の送受信ポート)で受信されるＥ−パケットは、ＰＨＹ部３５及びＭＡＣ部３４のポートＰ＿１及びＰ＿３を通じてＩＧ部３３の集約部＃２(図９の(６)：第３の集約部)に入力される。集約部＃２は、Ｅ−パケットの集約を行った後、Ｅ−パケットを集約部＃１(図９の(２２)：第５の集約部)に入力する。
【００９９】
一方、Ｅ−ＩＦカード＃１のＳＦＰ部３６Ａ(第１の送受信ポート)及び３６Ｂ(第２の送受信ポート)で受信されるＥ−パケットは、ＰＨＹ部３５及びＭＡＣ部３４のポートＰ＿１及びＰ＿３を通じてＩＧ部３３の集約部＃２(図９の(７)：第１の集約部)に入力される。集約部＃２は、Ｅ−パケットの集約を行った後、Ｅ−パケットを集約部＃１(図９の(２０))に入力する。
【０１００】
集約部＃１は、Ｅ−パケットをスルーし、Ｅ−パケットはマッピング部３１２(図９の(１３))に入力される。マッピング部３１２は、Ｅ−パケットをＥＯＳ信号にマッピングし、ＥＯＳ信号は、ＳＯＮＥＴスイッチ２０へ送出される。ＥＯＳ信号は、ＳＯＮＥＴスイッチ２０内のパス(３)及びパススイッチ２１(図９の(１５))を経て、Ｅ−ＩＦカード＃２のデマッピング部３１１(図９の(１２))に入力され、デマッピング処理によりＥ−パケットに変換される。
【０１０１】
Ｅ−パケットは、ＥＧ部３２の振り分け部＃１(図９の(２１))をスルーし、振り分け部＃３(第５の振り分け部)に入力される。振り分け部＃３は、Ｅ−パケットを２方路、すなわち、第７の経路と第８の経路とに分配(振り分け)する。第７の経路に振り分けられたＥ−パケットは、ＭＡＣ部３４のポートＰ＿２に入力される。第８の経路に振り分けられたＥ−パケットは、ＭＡＣ部３４のポートＰ＿４に入力される。
【０１０２】
ＭＡＣ部３４のポートＰ＿２に入力されたＥ−パケットは、ＰＨＹ部３５のポートＰ＿２を通った後、折り返し接続に従って、再びＰＨＹ部３５のポートＰ＿２に入力され(図９の(１０))、ＭＡＣ部３４のポートＰ＿２を経て集約部＃３(第４の集約部)に入力される。
【０１０３】
ＭＡＣ部３４のポートＰ＿４に入力されたＥ−パケットは、ＰＨＹ部３５のポートＰ＿４を通った後、折り返し接続に従って、再びＰＨＹ部３５のポートＰ＿４に入力され(図９の(１８))、ＭＡＣ部３４のポートＰ＿４を通過し、集約部＃３(第４の集約部)に入力される。
【０１０４】
集約部＃３は、Ｅ−パケットの集約を行い、集約部＃１(第５の集約部)に入力する。こ
のようにして、Ｅ−ＩＦカード＃２で受信されたＥ−パケットと、Ｅ−ＩＦカード＃２で受信されたＥ−パケットとは、Ｅ−ＩＦカード＃２の集約部＃１で合流する。
【０１０５】
集約部＃１は、Ｅ−パケットの集約を行った後、Ｅ−パケットをマッピング部３１２(図９の(１４))に入力する。マッピング部３１２は、Ｅ−パケットをＥＯＳ信号にマッピングした後、ＳＯＮＥＴスイッチ２０に送出する。ＳＯＮＥＴスイッチ２０では、Ｅ−ＩＦカード＃２からのＥＯＳ信号は、(２)を通ってパススイッチ２２(図９の(１６))に入力される。パススイッチ２２は、ＥＯＳ信号を選択信号としてＯＣｘｘインタフェースカードへ送出する。ＯＣｘｘインタフェースカードでは、ＥＯＳ信号がＥ／Ｏ変換ユニット１２で光信号形式に変換され、ＳＯＮＥＴ網へ送出される。
【０１０６】
以上のように、Ｅ−ＩＦカード＃１の２ポート，及びＥ−ＩＦカード＃２の２ポートからなる計４ポートに入力されたＥ−パケットは、パケット単位で集約され、ＥＯＳ信号にマッピングされた後、ＯＣｘｘインタフェースカード１０からＳＯＮＥＴ網へ送出される。
【０１０７】
《Ｅ−ＩＦカード＃１のリンク障害時》
図１０は、図９に示したＳＯＮＥＴ装置１００Ａが備えるＥ−ＩＦカード＃１にリンク障害が発生した場合の動作例を示す図である。図１０では、Ｅ−ＩＦカード＃１とパケットスイッチ装置(図３)とを結ぶポートＰ＿１のリンクが切断された状態を示している。
【０１０８】
リンク障害は、例えば制御ＣＰＵ４０で検出される。制御ＣＰＵ４０は、ポートＰ＿１のリンク障害を検出すると、ＥＧ部３２の振り分け部＃２(図１０の(５))に対し、振り分けを停止してＭＡＣ部３４のポートＰ＿３のみにＥ−パケットを出力する設定変更を行う。また、制御ＣＰＵ４０は、振り分け部＃１(図１０の(１９))に対し、振り分け部＃２及び振り分け部＃３に対するＥ−パケットの配分を１：１(＃２＝１,＃３＝１)から１：２(＃２＝１,＃３＝２)にする設定変更を行う。
【０１０９】
これによって、リンク障害前では、Ｅ−ＩＦカード＃１のポートＰ＿１から出力されていたＥ−パケットが、Ｅ−ＩＦカード＃１のポートＰ＿３及びＥ−ＩＦカード＃２のポートＰ＿１及びＰ＿３から出力される状態に遷移する。
【０１１０】
また、Ｅ−ＩＦカード＃１の集約部＃２(図１０の(７))では、リンク障害前に入力されていたＥ−ＩＦカード＃１のポートＰ＿１で受信されたＥ−パケットの入力がなくなる。しかしながら、Ｅ−ＩＦカード＃１のポートＰ＿２で受信されるＥ−パケットは、リンク障害前と同様に集約部＃２に入力される。よって、集約部＃２に対する設定変更は行われない。その他のブロックでの動作は通常状態と同様である。
【０１１１】
以上のように、Ｅ−ＩＦカード＃１で二つのポートの一方に関するリンク障害が発生した場合には、ＥＯＳ信号中のＥ−パケットは、Ｅ−ＩＦカード＃１の他方のポート及びＥ−ＩＦカード＃２の両ポートＰ＿１及びＰ＿３からパケット網へ送出される。これによって、パケット網との通信が継続される。
【０１１２】
なお、Ｅ−ＩＦカード＃１のポートＰ＿３に係るリンク障害が発生した場合には、制御ＣＰＵ４０は、集約部＃２(図１０の(５))に対して、振り分けを停止してポートＰ＿１のみにＥ−パケットを出力するための設定変更を行う。但し、振り分け部＃１(図１０の(１９))に対する振り分け配分の設定変更は、ポートＰ＿１のリンク障害時と同じ(１：２(＃２＝１,＃３＝２))である。
【０１１３】
《Ｅ−ＩＦカード＃２のリンク障害時》
図１１は、図９に示したＳＯＮＥＴ装置１００Ａが備えるＥ−ＩＦカード＃２にリンク障害が発生した場合の動作例を示す図である。図１１では、Ｅ−ＩＦカード＃２とパケットスイッチ装置(図３)とを結ぶポートＰ＿１のリンクが切断された状態を示している。
【０１１４】
リンク障害は、例えば制御ＣＰＵ４０で検出される。制御ＣＰＵ４０は、ポートＰ＿１のリンク障害を検出すると、ＥＧ部３２の振り分け部＃２(図１１の(８))に対し、振り分けを停止してＭＡＣ部３４のポートＰ＿３のみにＥ−パケットを出力する設定変更を行う。また、制御ＣＰＵ４０は、Ｅ−ＩＦカード＃１の振り分け部＃１(図１１の(１９))に対し、振り分け部＃２及び＃３の間でのＥ−パケットの配分を１：１(＃２＝１,＃３＝１)から２：１(＃２＝２,＃３＝１)にする設定変更を行う。これによって、障害前ではＥ−ＩＦカード＃２から出力されていたＥ−パケットがＥ−ＩＦカード＃１から出力されることになる。
【０１１５】
また、リンク障害発生後は、Ｅ−ＩＦカード＃２の集約部＃２(図１１の(６))に対し、ＭＡＣ部３４のポートＰ＿１からのＥ−パケット(Ｅ−ＩＦカード＃２のポートＰ＿１で受信されたＥ−パケット)の入力がなくなる。しかしながら、Ｅ−ＩＦカード＃２のポートＰ＿２で受信されたＥ−パケットは、障害発生前と同様に、集約部＃２に入力される。このため、集約部＃２に対する設定変更は行われない。
【０１１６】
以上のように、Ｅ−ＩＦカード＃２で二つのポートの一方に関するリンク障害が発生した場合には、ＥＯＳ信号中のＥ−パケットは、Ｅ−ＩＦカード＃２の他方のポート及びＥ−ＩＦカード＃１の両ポートＰ＿１及びＰ＿３からパケット網へ送出される。これによって、パケット網との通信が継続される。
【０１１７】
なお、Ｅ−ＩＦカード＃２のポートＰ＿３に係るリンク障害が発生した場合には、制御ＣＰＵ４０は、集約部＃２(図１１の(８))に対して、振り分けを停止してポートＰ＿１のみにＥ−パケットを出力するための設定変更を行う。但し、振り分け部＃１(図１１の(１２１))に対する振り分け配分の設定変更は、ポートＰ＿１のリンク障害時と同じ(２：１(＃２＝２,＃３＝１))である。
【０１１８】
《Ｅ−ＩＦカード＃１の装置障害時》
図１２は、図９に示したＳＯＮＥＴ装置１００Ａが備えるＥ−ＩＦカード＃１の装置障害(カード障害)が発生した場合の動作例を示す図である。Ｅ−ＩＦカード＃１のカード障害は、例えば制御ＣＰＵ４０によって検出される。カード障害が検出されると、例えば制御ＣＰＵの制御指示に従って、ＳＯＮＥＴスイッチ２０は、クロスコネクト機能でＯＣｘｘインタフェースカード１０からのＥＯＳ信号をパススイッチ２１(図１２の(１５))に接続し、パススイッチ２１がそのＥＯＳ信号をＥ−ＩＦカード＃２のデマッピング部３１１(図１２の(１２))に接続する(選択信号を図１２中の(３)及び(４)から(１)に切り替える)。これによって、カード障害の発生前においてＥ−ＩＦカード＃１から出力(送信)されていたＥ−パケットがＥ−ＩＦカード＃２から出力される状態に遷移する。
【０１１９】
これに対し、Ｅ−ＩＦカード＃２に入力されるＥ−パケットは、各ブロックに対する設定変更なく、集約部＃２及び集約部＃１を通ってＳＯＮＥＴスイッチ２０へ送出される。
【０１２０】
以上説明したように、Ｅ−ＩＦカード＃１にカード障害が発生した場合には、Ｅ−ＩＦカード＃１にＥＯＳ信号が送出されることなく、Ｅ−ＩＦカード＃２にＥＯＳ信号が送出される。これにより、ＳＯＮＥＴ装置１００Ａは、パケット網(パケットスイッチ装置：図３)との通信を継続することができる。
【０１２１】
《Ｅ−ＩＦカード＃２の装置障害時》
図１３は、図９に示したＳＯＮＥＴ装置１００Ａが備えるＥ−ＩＦカード＃２の装置障害(カード障害)が発生した場合の動作例を示す図である。Ｅ−ＩＦカード＃２のカード障害は、例えば制御ＣＰＵ４０によって検出される。カード障害が検出されると、制御ＣＰＵ４０は、Ｅ−ＩＦカード＃１のＥＧ部３２の振り分け部＃１に対し、振り分け部＃２及び＃３への振り分け配分を１：１から１：０にする(＃２＝１,＃３＝０)設定変更を行う。これによって、障害前においてＥ−ＩＦカード＃２から出力されていたＥ−パケットは、Ｅ−ＩＦカード＃１から出力される状態に遷移する。
【０１２２】
また、Ｅ−ＩＦカード＃２のカード障害が検出されると、例えば制御ＣＰＵ４０から制御指示に従って、ＳＯＮＥＴスイッチ２０では、Ｅ−ＩＦカード＃１のマッピング部３１２からの出力がパススイッチ２２(図１３の(１６))に接続され、且つパススイッチ２２が選択信号としてパス(２)(Ｅ−ＩＦカード＃２)ではなくパス(３)(Ｅ−ＩＦカード＃１)を選択するように切り替え動作を行う。これによって、Ｅ−ＩＦカード＃１で受信されたＥ−パケットは、Ｅ−ＩＦカード＃２を経由することなくＳＯＮＥＴ網へ送出される状態に遷移する。
【０１２３】
以上説明したように、Ｅ−ＩＦカード＃２にカード障害が発生した場合には、Ｅ−ＩＦカード＃１にＥＯＳ信号が送出されることなく、Ｅ−ＩＦカード＃１にＥＯＳ信号が送出される。これにより、ＳＯＮＥＴ装置１００Ａは、パケット網(パケットスイッチ装置：図３)との通信を継続することができる。
【０１２４】
〈第２実施形態の効果〉
本発明による第２実施形態(ＳＯＮＥＴ装置１００Ａ)によれば、第１実施形態と同様の効果を得ることができる。なお、第１及び第２実施形態に示した構成は、本発明の目的を逸脱しない範囲で適宜変更可能である。
【０１２５】
〔その他〕
本発明の実施形態は、以下の発明を開示する。以下の発明は必要に応じて適宜組み合わせることができる。
【０１２６】
（付記１）  ＳＯＮＥＴ／ＳＤＨ網に配置され、パケット網と接続されるＳＯＮＥＴ／ＳＤＨ装置であって、
前記ＳＯＮＥＴ／ＳＤＨ網に接続されるＳＯＮＥＴ／ＳＤＨインタフェース部と、
前記ＳＯＮＥＴ／ＳＤＨインタフェース部に接続されたＳＯＮＥＴ／ＳＤＨスイッチ部と、
前記ＳＯＮＥＴ／ＳＤＨスイッチ部に接続された第１及び第２のＬＡＮインタフェース部とを備え、
前記第１のＬＡＮインタフェース部は、
前記ＳＯＮＥＴ／ＳＤＨスイッチ部から入力される、パケットがマッピングされた信号に対するデマッピングを行い、該信号からパケットを得るデマッピング部と、
前記デマッピング部で得られたパケットを第１及び第２の経路に振り分ける振り分け部と、
前記パケット網との間でパケットを送受信するための送受信部であって、前記第１の経路を通って到着するパケットを前記パケット網に送信する第１の送受信ポートを含む送受信部と、
前記第１の送受信ポートで受信された前記パケット網からのパケット，及び前記第２の経路に振り分けられたパケットの夫々を、前記信号にマッピングして前記ＳＯＮＥＴ／ＳＤＨスイッチ部に送出するマッピング部とを含み、
前記第２のＬＡＮインタフェース部は、
前記ＳＯＮＥＴ／ＳＤＨスイッチから入力される、前記パケット網からのパケットがマ
ッピングされた前記信号，及び前記第２の経路に振り分けられたパケットがマッピングされた前記信号に対するデマッピングを行い、前記第２の経路に振り分けられたパケットを第３の経路に送出し、前記パケット網からのパケットを第４の経路に送出するデマッピング部と、
前記パケット網との間でパケットを送受信するための送受信部であって、前記第３の経路を通って到着するパケットを前記パケット網に送信する第２の送受信ポートを含む送受信部と、
前記第２の送受信ポートで受信された前記パケット網からのパケットと、前記第４の経路に送出されたパケットとを集約する集約部と、
前記集約部で集約されたパケットを前記信号にマッピングして前記ＳＯＮＥＴ／ＳＤＨスイッチ部に送出するマッピング部とを含み、
前記ＳＯＮＥＴ／ＳＤＨスイッチ部は、前記第１及び第２のＬＡＮインタフェース部の双方に障害が発生していない場合には、前記ＳＯＮＥＴ／ＳＤＨインタフェース部で受信される前記ＳＯＮＥＴ／ＳＤＨ網からの前記信号を前記第１のＬＡＮインタフェース部のデマッピング部に転送し、前記第１のＬＡＮインタフェース部のマッピング部から入力される、前記パケット網からのパケットがマッピングされた前記信号，及び前記第２の経路に振り分けられたパケットがマッピングされた前記信号の双方を前記第２のＬＡＮインタフェース部のデマッピング部に転送し、前記第２のＬＡＮインタフェース部のマッピング部から入力される前記信号を前記ＳＯＮＥＴ／ＳＤＨインタフェース部に転送する
ＳＯＮＥＴ／ＳＤＨ装置。（１）（図３，図４）
【０１２７】
（付記２）  前記振り分け部は、前記第１のＬＡＮインタフェース部のリンク障害が検出された場合に、前記第１の経路に対する振り分けを停止して前記第２の経路のみにパケットを送出する
付記１に記載のＳＯＮＥＴ／ＳＤＨ装置。(２)(図５)
【０１２８】
（付記３）  前記振り分け部は、前記第１の第２のＬＡＮインタフェース部のリンク障害が検出された場合に、前記第２の経路に対する振り分けを停止して前記第１の経路のみにパケットを送出する
付記１に記載のＳＯＮＥＴ／ＳＤＨ装置。(３)(図６)
【０１２９】
（付記４）  前記ＳＯＮＥＴ／ＳＤＨスイッチ部は、前記第１のＬＡＮインタフェース部の装置障害が検出された場合に、前記ＳＯＮＥＴ／ＳＤＨインタフェース部から入力される前記信号を、前記第１のＬＡＮインタフェース部の前記デマッピング部に入力することなく、前記第２のＬＡＮインタフェース部の前記デマッピング部に入力する
付記１に記載のＳＯＮＥＴ／ＳＤＨ装置。（４）（図７）
【０１３０】
（付記５）  前記第２のＬＡＮインタフェース部の装置障害が検出された場合に、前記ＳＯＮＥＴ／ＳＤＨスイッチは、前記第１のＬＡＮインタフェース部のマッピング部から入力される前記信号を、前記第２のＬＡＮインタフェース部に入力することなく前記ＳＯＮＥＴ／ＳＤＨインタフェース部に入力し、前記第１のＬＡＮインタフェース部の前記振り分け部は、前記第２の経路に対するパケットの振り分けを停止して前記第１の経路のみにパケットを送出する
付記１に記載のＳＯＮＥＴ／ＳＤＨ装置。（５）（図８）
【０１３１】
（付記６）  ＳＯＮＥＴ／ＳＤＨ網に配置され、パケット網と接続されるＳＯＮＥＴ／ＳＤＨ装置であって、
前記ＳＯＮＥＴ／ＳＤＨ網に接続されるＳＯＮＥＴ／ＳＤＨインタフェース部と、
前記ＳＯＮＥＴ／ＳＤＨインタフェース部に接続されたＳＯＮＥＴ／ＳＤＨスイッチ部と、
前記ＳＯＮＥＴ／ＳＤＨスイッチ部に接続された第１及び第２のＬＡＮインタフェース部とを備え、
前記第１のＬＡＮインタフェース部は、
前記ＳＯＮＥＴ／ＳＤＨスイッチから入力される、パケットがマッピングされた信号に対するデマッピングを行い、該信号からパケットを得るデマッピング部と、
前記デマッピング部で得られたパケットを２方向に振り分ける第１の振り分け部と、
前記第１の振り分け部で前記２方向の一方に振り分けられたパケットを第１及び第２の経路に振り分ける第２の振り分け部と、
前記第１の振り分け部で前記２方向の他方に振り分けられたパケットを第３及び第４の経路に振り分ける第３の振り分け部と、
前記パケット網との間でパケットを送受信するための二つの送受信ポートであって、前記第１の経路を通じて受信されるパケットを前記パケット網に送出する第１の送受信ポートと、前記第３の経路を通じて受信されるパケットを前記パケット網に送出する第２の送受信ポートとを含む送受信部と、
前記第１及び第２の送受信ポートで前記パケット網から受信されたパケットを集約する第１の集約部と、
前記第２及び第４の経路に振り分けられたパケットを集約する第２の集約部と、
前記第１の集約部で集約されたパケット，及び前記第２の集約部で集約されたパケットの夫々を前記信号にマッピングして前記ＳＯＮＥＴ／ＳＤＨスイッチに送出するマッピング部とを含み、
前記第２のＬＡＮインタフェース部は、
前記ＳＯＮＥＴ／ＳＤＨスイッチから入力される、前記第１の集約部で集約されたパケットがマッピングされた信号，及び前記第２の集約部で集約されたパケットがマッピングされた信号に対するデマッピングを行い、各信号からパケットを得るデマッピング部と、
前記デマッピング部で得られた、前記第１の集約部で集約されたパケットを第５及び第６の経路に振り分ける第４の振り分け部と、
前記デマッピング部で得られた、前記第２の集約部で集約されたパケットを第７及び第８の経路に振り分ける第５の振り分け部と、
前記パケット網との間でパケットを送受信するための二つの送受信ポートであって、前記第５の経路を通じて受信されるパケットを前記パケット網に送出する第３の送受信ポートと、前記第７の経路を通じて受信されるパケットを前記パケット網に送出する第４の送受信ポートとを含む送受信部と、
前記第３及び第４の送受信ポートで前記パケット網から受信されたパケットを集約する第３の集約部と、
前記第６及び第８の経路に振り分けられたパケットを集約する第４の集約部と、
前記第３の集約部で集約されたパケットと、前記第４の集約部で集約されたパケットとを集約する第５の集約部と、
前記第５の集約部で集約されたパケットを、前記信号にマッピングして前記ＳＯＮＥＴ／ＳＤＨスイッチに送出するマッピング部とを含み、
前記ＳＯＮＥＴ／ＳＤＨスイッチは、前記第１及び第２のＬＡＮインタフェース部の双方に障害が発生していない場合には、前記ＳＯＮＥＴ／ＳＤＨインタフェース部で受信される前記ＳＯＮＥＴ／ＳＤＨ網からの前記信号を前記第１のＬＡＮインタフェース部のデマッピング部に転送し、前記第１のＬＡＮインタフェース部のマッピング部から入力される、前記第１の集約部で集約されたパケットがマッピングされた前記信号，及び前記第２の集約部で集約されたパケットがマッピングされた前記信号の双方を前記第２のＬＡＮインタフェース部のデマッピング部に転送し、前記第２のＬＡＮインタフェース部のマッピング部から入力される前記信号を前記ＳＯＮＥＴ／ＳＤＨインタフェース部に転送する
ＳＯＮＥＴ／ＳＤＨ装置。（６）（図３、図９）
【０１３２】
（付記７）  前記第１のＬＡＮインタフェース部の前記第１の送受信ポートに係るリン
ク障害が発生した場合に、前記第２の集約部は、前記第１の経路に対するパケットの振り分けを停止して前記第２の経路のみにパケットを送出する
付記６に記載のＳＯＮＥＴ／ＳＤＨ装置。（図１０）
【０１３３】
（付記８）  前記第１のＬＡＮインタフェース部の前記第２の送受信ポートに係るリンク障害が発生した場合に、前記第２の集約部は、前記第２の経路に対するパケットの振り分けを停止して前記第１の経路のみにパケットを送出する
付記６に記載のＳＯＮＥＴ／ＳＤＨ装置。（図１０）
【０１３４】
（付記９）  前記第１の振り分け部が、前記第３の集約部に対する振り分け量が前記第２の集約部に対する振り分け量よりも多くなるように、前記２方向に対するパケットの振り分け配分を変更する
付記７又は８に記載のＳＯＮＥＴ／ＳＤＨ装置。（図１０）
【０１３５】
（付記１０）  前記第２のＬＡＮインタフェース部の前記第３の送受信ポートに係るリンク障害が発生した場合に、前記第４の集約部は、前記第５の経路に対するパケットの振り分けを停止して前記第６の経路のみにパケットを送出する
付記６に記載のＳＯＮＥＴ／ＳＤＨ装置。（図１１）
【０１３６】
（付記１１）  前記第２のＬＡＮインタフェース部の前記第４の送受信ポートに係るリンク障害が発生した場合に、前記第４の集約部は、前記第６の経路に対するパケットの振り分けを停止して前記第５の経路のみにパケットを送出する
付記６に記載のＳＯＮＥＴ／ＳＤＨ装置。（図１１）
【０１３７】
（付記１２）  前記第１の振り分け部が、前記第２の集約部に対する振り分け量が前記第３の集約部に対する振り分け量よりも多くなるように、前記２方向に対するパケットの振り分け配分を変更する
付記１０又は１１に記載のＳＯＮＥＴ／ＳＤＨ装置。（図１１）
【０１３８】
（付記１３）  前記第１のＬＡＮインタフェース部の装置障害が発生した場合に、前記ＳＯＮＥＴ／ＳＤＨスイッチ部は、前記ＳＯＮＥＴ／ＳＤＨインタフェース部から入力される前記信号を前記第１のＬＡＮインタフェース部に転送することなく、前記第２のＬＡＮインタフェース部に転送する
付記６に記載のＳＯＮＥＴ／ＳＤＨ装置。（図１２）
【０１３９】
（付記１４）  前記第２のＬＡＮインタフェース部の装置障害が発生した場合に、前記ＳＯＮＥＴ／ＳＤＨスイッチ部は、前記第１のＬＡＮインタフェース部から入力される、前記パケット網からのパケットがマッピングされた信号を、前記第２のＬＡＮインタフェース部に転送することなく、前記ＳＯＮＥＴ／ＳＤＨインタフェース部に転送する
付記６に記載のＳＯＮＥＴ／ＳＤＨ装置。（図１３）
【０１４０】
（付記１５）  前記第１のＬＡＮインタフェース部における前記第１及び第２の経路上には、パケットに対するＭＡＣ層の処理を司る第１及び第２のポートを有するＭＡＣ部と、パケットに対する物理層の処理を司る第１及び第２のポートを有するＰＨＹ部とが配置され、
前記第１の経路に振り分けられたパケットは、前記ＭＡＣ部及びＰＨＹ部の第１のポートを通って前記送受信ポートに到達し、
前記第２の経路に振り分けられたパケットは、前記ＭＡＣ部及びＰＨＹ部の第２のポートを通った後に折り返され、前記ＰＨＹ部及びＭＡＣ部の第２のポートを通って前記マッピング部に到達する
付記１に記載のＳＯＮＥＴ／ＳＤＨ装置。（図４）
【０１４１】
（付記１６）  前記第１及び第２のＬＡＮインタフェース部には、前記振り分け部を有する出力処理部が搭載されており、
前記第１のＬＡＮインタフェース部に搭載された出力処理部の振り分け部による振り分け処理が有効に設定される一方、前記第２のＬＡＮインタフェース部に搭載された出力処理部の振り分け部による振り分け処理は無効に設定される
付記１に記載のＳＯＮＥＴ／ＳＤＨ装置。（図４）
【０１４２】
（付記１７）  前記第１及び第２のＬＡＮインタフェース部には、前記集約部を有する入力処理部が搭載されており、
前記第１のＬＡＮインタフェース部に搭載された入力処理部の集約部による集約処理が無効に設定される一方、前記第２のＬＡＮインタフェース部に搭載された入力処理部の集約部による集約処理が有効に設定される
付記１に記載のＳＯＮＥＴ／ＳＤＨ装置。
【０１４３】
（付記１８）  前記第１のＬＡＮインタフェース部における前記第１〜第４の経路上には、パケットに対するＭＡＣ層の処理を司る第１〜第４のポートを有するＭＡＣ部と、パケットに対する物理層の処理を司る第１〜第４のポートを有するＰＨＹ部とが配置され、
前記第１の経路に振り分けられたパケットは、前記ＭＡＣ部及びＰＨＹ部の第１のポートを通って前記第１の送受信ポートに到達し、
前記第２の経路に振り分けられたパケットは、前記ＭＡＣ部及びＰＨＹ部の第２のポートを通った後に折り返され、前記ＰＨＹ部及びＭＡＣ部の第２のポートを通って前記第２の集約部に到達し、
前記第３の経路に振り分けられたパケットは、前記ＭＡＣ部及びＰＨＹ部の第３のポートを通って前記第２の送受信ポートに到達し、
前記第４の経路に振り分けられたパケットは、前記ＭＡＣ部及びＰＨＹ部の第４のポートを通った後に折り返され、前記ＰＨＹ部及びＭＡＣ部の第４のポートを通って前記第２の集約部に到達する
付記６に記載のＳＯＮＥＴ／ＳＤＨ装置。（図９）
【０１４４】
（付記１９）  前記第１及び第２のＬＡＮインタフェース部には、少なくとも三つの振り分け部を有する出力処理部が搭載されており、
前記第１のＬＡＮインタフェース部に搭載された出力処理部について少なくとも三つの振り分け部に対して振り分け処理が有効に設定されることで、前記第１のＬＡＮインタフェース部に前記第１,第２及び第３の振り分け部が備えられる一方、前記第２のＬＡＮインタフェース部に搭載された出力処理部の前記少なくとも三つの振り分け部のうち、二つが有効に設定され且つ一つが無効に設定されることで、前記第２のＬＡＮインタフェース部に前記第４及び第５の振り分け部が備えられる
付記６に記載のＳＯＮＥＴ／ＳＤＨ装置。（図９）
【０１４５】
（付記２０）  前記第１及び第２のＬＡＮインタフェース部には、少なくとも三つの集約部を有する入力処理部が搭載されており、
前記第１のＬＡＮインタフェース部に搭載された入力処理部の前記少なくとも三つの集約部のうち二つが有効に設定され且つ一つが無効に設定されることで、前記第１のＬＡＮインタフェース部に前記第１及び第２の振り分け部が備えられる一方、前記第２のＬＡＮインタフェース部に搭載された入力処理部の前記少なくとも三つの集約部による集約処理が夫々有効に設定されることで、前記第２のＬＡＮインタフェース部に前記第３，第４及び第５の集約部が備えられる
付記６に記載のＳＯＮＥＴ／ＳＤＨ装置。（図９）
【０１４６】
（付記２１）ＳＯＮＥＴ／ＳＤＨ網に配置され、パケット網と接続されるＳＯＮＥＴ／ＳＤＨ装置であって、
前記ＳＯＮＥＴ／ＳＤＨ網との間で、パケットがマッピングされた信号を送受信するＳＯＮＥＴ／ＳＤＨインタフェース部と、
前記パケット網との間でパケットを送受信するための送受信部，パケットを前記信号にマッピングするマッピング部，及び前記信号に対するデマッピングを通じて該信号からパケットを得るデマッピング部を夫々含む第１及び第２のＬＡＮインタフェース部と、
前記ＳＯＮＥＴ／ＳＤＨインタフェース部，並びに前記第１及び第２のＬＡＮインタフェース部との間で、前記信号の転送処理を行うスイッチ部とを含み、
前記スイッチ部は、前記ＳＯＮＥＴ／ＳＤＨインタフェースから入力された前記信号を前記第１のＬＡＮインタフェース部に転送し、
前記第１のＬＡＮインタフェース部は、前記スイッチ部からの信号のデマッピングを通じてパケットを取得し、パケットの一部を送受信部から前記パケット網に送信するともに、残りを前記信号にマッピングして前記スイッチ部に送出し、
前記スイッチ部は、前記第１のＬＡＮインタフェース部からの前記信号を前記第２のＬＡＮインタフェース部に転送し、
前記第２のＬＡＮインタフェース部は、前記スイッチ部からの前記信号のデマッピングを通じて得られたパケットを前記送受信部から前記パケット網に送信する
ＳＯＮＥＴ／ＳＤＨ装置。（７）（図３、図４、図９）
【０１４７】
（付記２２）  前記第１のＬＡＮインタフェース部は、前記送受信部で前記パケット網から受信されたパケットを前記信号にマッピングして前記スイッチ部へ送出し、
前記スイッチ部は、前記第１のＬＡＮインタフェース部からの前記信号を前記第２のＬＡＮインタフェース部に転送し、
前記第２のＬＡＮインタフェース部は、前記スイッチ部からの前記信号をデマッピングして得られるパケットと前記送受信部で前記パケット網から受信されたパケットとを集約し、前記信号にマッピングして前記スイッチ部に送出し、
前記スイッチ部は、前記第２のＬＡＮインタフェース部からの前記信号を前記ＳＯＮＥＴ／ＳＤＨインタフェース部へ転送する
付記２１記載のＳＯＮＥＴ／ＳＤＨ装置。（図３、図４、図９）
【図面の簡単な説明】
【０１４８】
【図１】図１は、パケットスイッチ装置の構成例を示す図である。
【図２】図２は、ＳＯＮＥＴ装置の構成例を示す図である。
【図３】図３は、本発明が適用されたＳＯＮＥＴ／ＳＤＨ網とパケット網との複合ネットワークにおけるネットワーク構成例を示す図である。
【図４】図４は、本発明の第１実施形態におけるＳＯＮＥＴ装置の構成例(２ポート構成)を示す図である。
【図５】図５は、図４に示したＳＯＮＥＴ装置が備えるＥ−ＩＦカード＃１にリンク障害が発生した場合の動作例を示す図である。
【図６】図６は、図４に示したＳＯＮＥＴ装置が備えるＥ−ＩＦカード＃２にリンク障害が発生した場合の動作例を示す図である。
【図７】図７は、図４に示したＳＯＮＥＴ装置が備えるＥ−ＩＦカード＃１に装置障害が発生した場合の動作例を示す図である。
【図８】図８は、図４に示したＳＯＮＥＴ装置が備えるＥ−ＩＦカード＃２に装置障害が発生した場合の動作例を示す図である。
【図９】図９は、本発明の第２実施形態におけるＳＯＮＥＴ装置の構成例(４ポート構成)を示す図である。
【図１０】図１０は、図９に示したＳＯＮＥＴ装置が備えるＥ−ＩＦカード＃１にリンク障害が発生した場合の動作例を示す図である。
【図１１】図１１は、図９に示したＳＯＮＥＴ装置が備えるＥ−ＩＦカード＃２にリンク障害が発生した場合の動作例を示す図である。
【図１２】図１２は、図９に示したＳＯＮＥＴ装置が備えるＥ−ＩＦカード＃１に装置障害が発生した場合の動作例を示す図である。
【図１３】図１３は、図９に示したＳＯＮＥＴ装置が備えるＥ−ＩＦカード＃２に装置障害が発生した場合の動作例を示す図である。
【符号の説明】
【０１４９】
１００,１００Ａ・・・ＳＯＮＥＴ装置(ＳＯＮＥＴ／ＳＤＨ装置)
１０・・・ＯＣxxインタフェースカード部(ＳＯＮＥＴ／ＳＤＨインタフェース部)
２０・・・ＳＯＮＥＴスイッチ部
２１,２２・・・ＳＯＮＥＴパススイッチ
３０・・・イーサネット（登録商標）インタフェースカード
３１・・・ＥＯＳ部
３２・・・ＥＧ部（出力処理部）
３３・・・ＩＧ部（入力処理部）
３４・・・ＭＡＣ部
３５・・・ＰＨＹ部
３６・・・ＳＦＰ部（送受信部，第１の送受信ポート，第２の送受信ポート）
３６Ａ・・・ＳＦＰ部（送受信部，第１の送受信ポート）
３６Ｂ・・・ＳＦＰ部（送受信部，第２の送受信ポート）
３１１・・・デマッピング部
３１２・・・マッピング部
３２１・・・振り分け部
３３１・・・集約部
【図１】
0005018280.tif 000002
【図２】
0005018280.tif 000003
【図３】
0005018280.tif 000004
【図４】
0005018280.tif 000005
【図５】
0005018280.tif 000006
【図６】
0005018280.tif 000007
【図７】
0005018280.tif 000008
【図８】
0005018280.tif 000009
【図９】
0005018280.tif 000010
【図１０】
0005018280.tif 000011
【図１１】
0005018280.tif 000012
【図１２】
0005018280.tif 000013
【図１３】
0005018280.tif 000014